(57)【要約】【課題】  本発明は、画像表示装置及び画像表示方法に関し、特に複数の表示装置によるマルチ画面表示に適用して、複数の表示装置によるマルチ画面表示の迫力、臨場感を維持しつつ、歪の発生、画像情報の欠落を防止することができるようにする。【解決手段】  本発明は、これら複数台の表示装置１２ＡＡ〜１２ＣＣがそれぞれ表示を担当する領域により、これら複数台の表示装置１２ＡＡ〜１２ＣＣの１台１２ＢＢで、入力ビデオデータによる全画面の画像を表示する。【選択図】        図１
2007093702.tif 000002
【特許請求の範囲】
【請求項１】
複数台の表示装置を水平方向及び垂直方向に密接して配置し、前記複数台の表示装置によるマルチ画面表示により入力ビデオデータによる画像を拡大表示する画像表示装置であって、
前記複数台の表示装置がそれぞれ表示を担当する領域により、前記複数台の表示装置の１台の表示装置で、該表示装置が前記マルチ画面表示で担当する領域の画像に代えて、前記入力ビデオデータによる全画面の画像を表示する
ことを特徴とする画像表示装置。
【請求項２】
前記複数台の表示装置によるマルチ画面表示が、
１台の前記表示装置で表示される画像と、隣接する前記表示装置で表示される画像とが、前記入力ビデオデータによる画像上で隙間無く連続する関係の表示である
ことを特徴とする請求項１に記載の画像表示装置。
【請求項３】
前記複数台の表示装置によるマルチ画面表示が、
１台の前記表示装置で表示される画像と、隣接する前記表示装置で表示される画像とが、前記入力ビデオデータによる画像上で、隣接する表示装置間における表示画面間の隙間の分だけ間を隔てて連続する関係の表示である
ことを特徴とする請求項１に記載の画像表示装置。
【請求項４】
他の画像表示装置と水平方向及び垂直方向に密接して配置されて、前記他の画像表示装置とのマルチ画面表示により入力ビデオデータの画像を拡大表示する画像表示装置であって、
前記入力ビデオデータから、前記マルチ画面表示により表示を担当する領域の出力ビデオデータを生成する画像処理部と、
前記出力ビデオデータによる画像を表示する画像表示部と、
前記画像処理部、画像表示部の動作を制御する制御部とを有し、
前記制御部は、
前記他の画像表示装置がそれぞれ表示を担当する領域と、自装置が表示を担当する領域との比較により、前記自装置が表示を担当する領域が特定の条件を満足する場合に、前記出力ビデオデータに代えて、前記入力ビデオデータによる全画面の画像を前記画像表示部で表示するように、前記画像表示部の動作を制御する
ことを特徴とする画像表示装置。
【請求項５】
前記マルチ画面表示が、
前記他の表示装置において、１台の前記表示装置で表示される画像と、隣接する前記表示装置で表示される画像とが、前記入力ビデオデータによる画像上で隙間無く連続する関係の表示である
ことを特徴とする請求項４に記載の画像表示装置。
【請求項６】
前記マルチ画面表示が、
前記他の表示装置において、１台の前記表示装置で表示される画像と、隣接する前記表示装置で表示される画像とが、前記入力ビデオデータによる画像上で、隣接する表示装置間における表示画面間の隙間の分だけ間を隔てて連続する関係の表示である
ことを特徴とする請求項４に記載の画像表示装置。
【請求項７】
前記自装置が表示を担当する領域が特定の条件を満足する場合が、前記自装置が表示を担当する領域が、前記入力ビデオデータによる画像上の中央の領域である場合である
ことを特徴とする請求項４に記載の画像表示装置。
【請求項８】
複数台の表示装置を水平方向及び垂直方向に密接して配置し、前記複数台の表示装置によるマルチ画面表示により入力ビデオデータによる画像を拡大表示する画像表示方法であって、
前記複数台の表示装置がそれぞれ表示を担当する領域により、前記複数台の表示装置の１台の表示装置で、該表示装置が前記マルチ画面表示で担当する領域の画像に代えて、前記入力ビデオデータによる全画面の画像を表示する
ことを特徴とする画像表示方法。
【発明の詳細な説明】
【技術分野】
【０００１】
本発明は、画像表示装置及び画像表示方法に関し、特に複数の表示装置によるマルチ画面表示に適用することができる。本発明は、これら複数台の表示装置がそれぞれ表示を担当する領域により、これら複数台の表示装置の１台で、入力ビデオデータによる全画面の画像を表示することにより、複数の表示装置によるマルチ画面表示の迫力、臨場感を維持しつつ、歪の発生、画像情報の欠落を防止することができるようにする。
【背景技術】
【０００２】
従来、例えば特開平６−６６３３号公報等には、複数台の表示装置によるマルチ画面表示により、各種画像を大画面により表示する方法が提案されている。このような複数台の表示装置によるマルチ画面表示では、例えば９台の表示装置を水平方向及び垂直方向にそれぞれ３台ずつ並べて、これら表示装置を密接して配置する。また１台の表示装置により表示する場合の表示例である図１２との対比により図１３に示すように、１つのソースによるビデオデータをこれら表示装置１ＡＡ〜１ＣＣに振り分けて各表示装置１ＡＡ〜１ＣＣを駆動し、これによりマルチ画面表示によりビデオデータによる画像を拡大表示する。
【０００３】
ところでこのようにして複数台の表示装置１ＡＡ〜１ＣＣによりマルチ画面表示する場合、各表示装置１ＡＡ〜１ＣＣには、表示画面の周囲に、何ら画像の表示に供しない部位Ｗが存在することにより、これら表示装置１ＡＡ〜１ＣＣによる各表示画面間に隙間が形成されることになる。これによりこれら表示装置１ＡＡ〜１ＣＣによるマルチ画面表示では、この隙間の分、各表示装置１ＡＡ〜１ＣＣによる画面表示が離れて表示されて画像全体に歪みが発生した状態となる問題がある。
【０００４】
これに対して例えば図１３との対比により図１４に示すように、隙間の分だけ、各表示装置１ＡＡ〜１ＣＣに振り分けるビデオデータを削除すれば、隙間による歪みの発生については防止することができる。しかしながらこの場合は、ユーザーに提供する画像情報が欠落し、貴重な画像情報をユーザーに提供できなくなる。
【特許文献１】特開平６−６６３３号公報
【発明の開示】
【発明が解決しようとする課題】
【０００５】
本発明は以上の点を考慮してなされたもので、複数の表示装置によるマルチ画面表示の迫力、臨場感を維持しつつ、歪、画像情報の欠落を防止することができる画像表示装置及び画像表示方法を提案しようとするものである。
【課題を解決するための手段】
【０００６】
かかる課題を解決するため請求項１の発明は、複数台の表示装置を水平方向及び垂直方向に密接して配置し、前記複数台の表示装置によるマルチ画面表示により入力ビデオデータによる画像を拡大表示する画像表示装置に適用して、前記複数台の表示装置がそれぞれ表示を担当する領域により、前記複数台の表示装置の１台の表示装置で、該表示装置が前記マルチ画面表示で担当する領域の画像に代えて、前記入力ビデオデータによる全画面の画像を表示する。
【０００７】
また請求項４の発明は、他の画像表示装置と水平方向及び垂直方向に密接して配置されて、前記他の画像表示装置とのマルチ画面表示により入力ビデオデータの画像を拡大表示する画像表示装置に適用して、前記入力ビデオデータから、前記マルチ画面表示により表示を担当する領域の出力ビデオデータを生成する画像処理部と、前記出力ビデオデータによる画像を表示する画像表示部と、前記画像処理部、画像表示部の動作を制御する制御部とを有し、前記制御部は、前記他の画像表示装置がそれぞれ表示を担当する領域と、自装置が表示を担当する領域との比較により、前記自装置が表示を担当する領域が特定の条件を満足する場合に、前記出力ビデオデータに代えて、前記入力ビデオデータによる全画面の画像を前記画像表示部で表示するように、前記画像表示部の動作を制御する。
【０００８】
また請求項８の発明は、複数台の表示装置を水平方向及び垂直方向に密接して配置し、前記複数台の表示装置によるマルチ画面表示により入力ビデオデータによる画像を拡大表示する画像表示方法に適用して、前記複数台の表示装置がそれぞれ表示を担当する領域により、前記複数台の表示装置の１台の表示装置で、該表示装置が前記マルチ画面表示で担当する領域の画像に代えて、前記入力ビデオデータによる全画面の画像を表示する。
【０００９】
請求項１の構成により、複数台の表示装置を水平方向及び垂直方向に密接して配置し、前記複数台の表示装置によるマルチ画面表示により入力ビデオデータによる画像を拡大表示する画像表示装置に適用して、前記複数台の表示装置がそれぞれ表示を担当する領域により、前記複数台の表示装置の１台の表示装置で、該表示装置が前記マルチ画面表示で担当する領域の画像に代えて、前記入力ビデオデータによる全画面の画像を表示すれば、この１台の表示装置による表示により画像全体の様子を把握できるようにして、この画像の各部を拡大して表示することができ、これにより複数の表示装置によるマルチ画面表示の迫力、臨場感を維持しつつ、歪の発生、画像情報の欠落を防止することができる。
【００１０】
これにより請求項４の構成によれば、他の画像表示装置と水平方向及び垂直方向に密接して配置されて、前記他の画像表示装置とのマルチ画面表示により入力ビデオデータの画像を拡大表示する画像表示装置に適用して、複数の表示装置によるマルチ画面表示の迫力、臨場感を維持しつつ、歪の発生、画像情報の欠落を防止することができる。
【００１１】
また請求項８の構成によれば、複数の表示装置によるマルチ画面表示の迫力、臨場感を維持しつつ、歪の発生、画像情報の欠落を防止することができる。
【発明の効果】
【００１２】
本発明によれば、複複数の表示装置によるマルチ画面表示の迫力、臨場感を維持しつつ、歪の発生、画像情報の欠落を防止することができる。
【発明を実施するための最良の形態】
【００１３】
以下、適宜図面を参照しながら本発明の実施例を詳述する。
【実施例１】
【００１４】
（１）実施例の構成
図１は、本発明の実施例に係る画像表示装置を示す斜視図である。この画像表示装置１１は、複数台の表示装置１２ＡＡ〜１２ＣＣを密接して配置し、これら複数台の表示装置１２ＡＡ〜１２ＣＣにより大画面の画像を表示する。この実施例では、この複数台が９台に設定され、これら表示装置１２ＡＡ〜１２ＣＣが水平方向及び垂直方向に３台ずつ密接して配置される。
【００１５】
これら表示装置１２ＡＡ〜１２ＣＣは、同一に構成され、所望の台数だけ密接して配置して大画面による画像を表示できるように構成される。これによりこれらの表示装置は、例えば図２との対比により図３に示すように、水平方向及び垂直方向に５台ずつ密接して配置して、さらに一段と大画面による画像を表示できるように構成される。
【００１６】
図４は、これら表示装置１２ＡＡ〜１２ＣＣの構成を示すブロック図である。表示装置１２ＡＡ〜１２ＣＣにおいて、チューナ１４は、制御部１５の制御により、アンテナ端子Ｔ１より入力される各種放送波から、ユーザーにより指示された放送波を選局して中間周波信号により出力する。復号部１６は、このチューナ１４から出力される中間周波信号を検波して処理することにより、この放送波により伝送されるビデオ信号及びオーディオ信号を復調し、ビデオデータ及びオーディオデータにより出力する。これにより表示装置１２ＡＡ〜１２ＣＣは、所望するテレビジョン放送を受信してビデオデータ及びオーディオデータを取得できるように構成される。
【００１７】
表示装置１２ＡＡ〜１２ＣＣは、外部入力端子Ｔ１及びＴ１Ａによりそれぞれ外部入力によるビデオデータ及びオーディオデータを入力できるように構成され、セレクタ１７は、制御部１５の制御により、この外部入力によるビデオデータ及びオーディオデータ、又はテレビジョン放送によるビデオデータ及びオーディオデータを選択して出力する。これにより表示装置１２ＡＡ〜１２ＣＣは、例えばＤＶＤ（Digital Versatile Disk）プレイヤー、ビデオテープレコーダ等を外部入力端子Ｔ１Ｖ及びＴ１Ａに接続して種々のソースによるビデオデータ及びオーディオデータを選択できるように構成される。
【００１８】
音声処理部１８は、制御部１５の制御により、このセレクタ１７により選択されたオーディオデータの音量、音質を調整してスピーカ１９を駆動する。
【００１９】
画像処理部２０は、制御部１５の制御により、このセレクタ１７により選択されたビデオデータの画質等を調整して出力する。画像表示部２１は、例えば液晶表示パネルと周辺回路により構成され、画像処理部２０より出力されるビデオデータの画像を表示する。これらにより表示装置１２ＡＡ〜１２ＣＣは、セレクタ１７により選択されたソースの画像及び音声をユーザーに提供する。
【００２０】
拡大範囲決定部２２は、制御部１５の制御により、セレクタ１７により選択されたビデオデータによる画像を拡大表示する場合に動作を立ち上げ、拡大表示する領域を決定して画像処理部２０に通知する。画像処理部２０は、同様に、セレクタ１７により選択されたビデオデータによる画像を拡大表示する場合、拡大処理部２０Ａにより、セレクタ１７から出力されるビデオデータから、この拡大範囲決定部２２により通知された領域のビデオデータを選択的に取得し、この選択的に取得したビデオデータの補間演算処理等により、拡大表示用のビデオデータを生成して出力する。これによりこの表示装置は、セレクタ１７により選択されたソースの画像より所望する領域を切り出して拡大表示できるように構成される。
【００２１】
配置情報用スイッチ２５は、この表示装置の配置位置を入力するスイッチであり、ユーザー又はサービスマンにより、この画像表示装置１１において水平方向及び垂直方向に並ぶ表示装置１２ＡＡ〜１２ＣＣの各台数、これらの表示装置１２ＡＡ〜１２ＣＣにおける自装置の位置が設定される。これにより例えば左上に配置された表示装置１２ＡＡでは、水平方向及び垂直方向に３台ずつ表示装置を配置したうちの、左上に配置されていることがこの配置情報用スイッチ２５により設定され、また中央の表示装置１２ＢＢでは、水平方向及び垂直方向に３台ずつ表示装置を配置したうちの、中央に配置されていることがこの配置情報用スイッチ２５により設定される。
【００２２】
リモコン受信部２６は、この画像表示装置１１のリモートコマンダから送出される遠隔制御信号を受信して制御部１５に通知する。制御部１５は、所定の処理プログラムを実行する演算処理手段であり、この処理プログラムの実行により、この画像表示装置１１を構成する他の表示装置に設けられた制御部１５との間でデータ通信して各部の動作を制御し、これによりこの表示装置、さらにはこの画像表示装置１１全体の動作を制御する。なおここでこの処理プログラムは、この表示装置に事前にインストールされて提供されるものの、このような事前のインストールによる提供に代えて、例えばインターネット等のネットワークを介したダウンロードにより提供するようにしてもよく、光ディスク、磁気ディスク、メモリカード等の種々の記録媒体に記録して提供するようにしてもよい。
【００２３】
しかして制御部１５は、この制御部１５に係る表示装置が中央に配置された表示装置であることが配置情報用スイッチ２５の設定により検出される場合に、リモートコマンダの操作により各種メニュー画面を画像表示部２１により表示してユーザーによる各種の指示を受け付け、これにより画像表示装置１１による表示を種々に切り換える。
【００２４】
具体的に、表示スタイルのメニュー画面の表示をユーザーが指示すると、対応するメニュー画面を画像表示部２１により表示する。またこのメニュー画面により、ユーザーが同一ソースのオリジナル画像による多画面表示を指示すると、配置位置に無関係に、ユーザーにより指示されたソースを何ら拡大処理等することなく表示し、これにより図５に示すように、これら複数台の表示装置１２ＡＡ〜１２ＣＣで同一コンテンツの画像をオリジナルの大きさにより表示する。これに対してユーザーが１台のみによる表示を指示すると、制御部１５は、表示装置が中央に配置されている場合に限り、ユーザーにより指示されたソースの画像を表示する。これによりこれら複数台の表示装置１２ＡＡ〜１２ＣＣは、図６に示すように、中央に配置された表示装置１２ＢＢのみによりユーザーにより指示されたソースの画像を表示する。
【００２５】
これに対してユーザーがこれら表示装置１２ＡＡ〜１２ＣＣによるマルチ画面表示を指示すると、制御部１５は、配置情報用スイッチ２５により検出される表示装置の配置位置に応じて、拡大範囲決定部２２により拡大表示する領域を設定し、この領域による画像をそれぞれ拡大表示する。これによりこれら複数台の表示装置１２ＡＡ〜１２ＣＣは、図６との対比により図７に示すように、これら密接して配置された９台の表示装置１２ＡＡ〜１２ＣＣの複数の表示画面により、１つのソースに係る画像を拡大表示する。なおこれら図６及び図７にあっては、図１３及び図１４について上述した表示画面の周囲の何ら画像の表示に供しない部位Ｗの記載を省略して示す。
【００２６】
このようにしてこれら複数台の表示装置１２ＡＡ〜１２ＣＣによるマルチ画面表示により拡大表示する際に、制御部１５は、リモートコマンダの操作による事前の設定により、これら表示装置１２ＡＡ〜１２ＣＣにおける表示の形態を設定する。
【００２７】
ここで図８及び図９は、中央に配置した表示装置１２ＢＢで表示されるメニュー画面のうちで、この事前の設定に係るメニュー画面を示す平面図である。この中央に配置された表示装置１２ＢＢの制御部１５は、ユーザーによる設定のメニューの選択により、「表示モード」及び「表示位置」のメニューを表示する。ここで「表示モード」のメニューは、これら複数台の表示装置１２ＡＡ〜１２ＣＣによるマルチ画面表示で拡大表示する際の、表示モードを設定するメニュー画面であり、制御部１５は、このメニューの選択により、「形状保存」、「情報保存」、「形状保存＋原画」、「情報保存＋原画」、「形状保存＋微拡大」、「情報保存＋微拡大」のサブメニューを表示する（図８）。
【００２８】
ここで「情報保存」のサブメニューは、図１３について上述した形態による表示を指示するメニューであり、この場合、制御部１５は、表示に供するビデオデータによる有効表示画面を水平方向及び垂直方向に等分割することにより、表示装置１２ＡＡ〜１２ＣＣに対応してこのビデオデータによる有効表示画面を複数ブロックに分割し、担当ブロックの画像を画像表示部２１により表示するように、全体の動作を制御する。これによりこの場合、これら複数台の表示装置１２ＡＡ〜１２ＣＣによるマルチ画面表示において、１台の表示装置で表示される画像と、隣接する表示装置で表示される画像とが、入力ビデオデータによる画像上で隙間無く連続するように、画像処理部２０の動作を制御する。
【００２９】
これに対して「形状保存」のサブメニューは、図１４について上述したように表示の形態による表示を指示するメニューであり、この場合、制御部１５は、「情報保存」のサブメニューが選択された場合と同様に、表示装置１２ＡＡ〜１２ＣＣに対応するように表示に供するビデオデータによる有効表示画面を複数ブロックに分割し、担当ブロックより表示装置間の隙間の分だけビデオデータを削除して画像表示部２１により表示するように全体の動作を制御する。これによりこの場合、これら複数台の表示装置１２ＡＡ〜１２ＣＣによるマルチ画面表示において、１台の表示装置で表示される画像と、隣接する表示装置で表示される画像とが、入力ビデオデータによる画像上で、隣接する表示装置における表示画面間の隙間の分だけ間を隔てて連続するように、画像処理部２０の動作を制御する。
【００３０】
これに対して「形状保存＋原画」のサブメニューは、図１（Ａ）に示す形態による表示を指示するサブメニューである。ここでこの形態は、「形状保存」のサブメニューによる表示において、何れかの表示装置によりビデオデータによる原画を表示する形態である。また「情報保存＋原画」のサブメニューは、図１（Ｂ）に示す形態による表示を指示するサブメニューであり、この場合「情報保存」のサブメニューによる表示において、何れかの表示装置によりビデオデータによる原画を表示する。
【００３１】
これに対して「形状保存＋微拡大」、「情報保存＋微拡大」のサブメニューは、図１（Ａ）及び（Ｂ）との対比により図１０（Ａ）及び（Ｂ）に示すように、それぞれ「形状保存＋原画」、「情報保存＋原画」のサブメニューの表示において、原画を微小倍率だけ拡大して表示するサブメニューである。
【００３２】
これに対して「表示位置」のメニュー（図９）は、「形状保存＋原画」、「情報保存＋原画」、「形状保存＋微拡大」、「情報保存＋微拡大」のサブメニューによる表示において、原画を表示する表示装置を設定するメニューであり、制御部１５は、このメニューの選択により、「デフォルト」、「ディスプレイ選択」、「平坦部」、「微細部」、「動き小部分」、「動き大部分」のサブメニューを表示する。
【００３３】
ここで「デフォルト」のサブメニューは、デフォルトの設定による表示装置を原画表示の表示装置に設定するサブメニューである。これにより制御部１５は、このサブメニューが選択されると、デフォルトにより設定された表示装置で原画を表示するように設定し、この実施例では、このデフォルトによる表示装置が中央に配置された表示装置１２ＢＢに設定される。
【００３４】
また「ディスプレイ選択」のサブメニューは、ユーザーにより指定された表示装置を原画表示の表示装置に設定するサブメニューであり、制御部１５は、このサブメニューの選択により、ユーザーによる表示装置１２ＡＡ〜１２ＣＣの選択を受け付け、この選択された表示装置により原画を表示するように全体の動作を制御する。
【００３５】
また「平坦部」サブメニューは、画素値の変化が最も少ない部分を担当する表示装置を原画表示の表示装置に設定するサブメニューであり、「微細部」のサブメニューは、画素値の微細な変化が最も大きな部分を担当する表示装置を原画表示の表示装置に設定するサブメニューである。また「動き小部分」、「動き大部分」のサブメニューは、それぞれ動きの最も小さい部分、動きの最も大きい部分を担当する表示装置を原画表示の表示装置に設定するサブメニューである。
【００３６】
制御部１５は、「デフォルト」、「ディスプレイ選択」のサブメニューがユーザーにより選択されている状態で、「形状保存＋原画」、「情報保存＋原画」、「形状保存＋微拡大」、「情報保存＋微拡大」のサブメニューが選択されると、配置情報用スイッチ２５の設定により、自装置が原画の表示を担当しているか否か判断し、自装置が原画の表示を担当している場合には、セレクタ１７から出力される原画のビデオデータを全て画像処理部２０に取り込んで画像表示部２１により表示するように全体の動作を制御する。またこのときこの原画の表示が微拡大の場合、拡大処理部２０Ａの処理により微小倍率だけ原画を拡大して表示する。なおこの微拡大に係る微小倍率は、ビデオデータにより画像全体を把握できる程度に設定される。
【００３７】
これに対して「平坦部」、「微細部」、「動き小部分」、「動き大部分」のサブメニューがユーザーにより選択されている状態で、「形状保存＋原画」、「情報保存＋原画」、「形状保存＋微拡大」、「情報保存＋微拡大」のサブメニューが選択されると、制御部１５は、図１１の処理手順の実行により、自装置が原画の表示を担当するか否か判断して全体の動作を制御する。
【００３８】
すなわち制御部１５は、「形状保存＋原画」、「情報保存＋原画」、「形状保存＋微拡大」、「情報保存＋微拡大」のサブメニューの選択によりこの処理手順を開始し、ステップＳＰ１からステップＳＰ２に移る。なおここでこのサブメニューによる表示の開始時にあっては、例えば中央に位置する表示装置１２ＢＢを原画表示に割り当てる。このステップＳＰ２において、制御部１５は、ユーザーにより選択された「平坦部」、「微細部」、「動き小部分」、「動き大部分」によるサブメニューにそれぞれ対応する判定基準値を担当領域より一定時間検出する。
【００３９】
具体的に、ユーザーにより「平坦部」のサブメニューが選択されている場合、例えば担当領域における隣接画素との差分絶対値和により、この判定基準値を計算する。これに対して「微細部」のサブメニューが選択されている場合、担当領域のビデオデータより所定周波数以上の成分を抽出し、該成分の絶対値和を検出することにより、この判定基準値を計算する。また「動き小部分」、「動き大部分」のサブメニューがユーザーにより選択されている場合、連続するフレーム、フィールド間における対応画素間の差分絶対値和により、この判定基準値を計算する。
【００４０】
制御部１５は、例えば数分程度の一定時間の間、この判定基準値を検出すると、ステップＳＰ２からステップＳＰ３に移り、ステップＳＰ２で検出した判定基準値を他の装置に通知すると共に、他の装置における同様の処理により、他の装置で検出した判定基準値を取得し、続くステップＳＰ４において、このステップＳＰ３で取得した判定基準値と、ステップＳＰ２で検出した判定基準値との比較により、自装置が原画表示を担当するか否か判断する。ここで肯定結果が得られると、制御部１５は、ステップＳＰ４からステップＳＰ５に移り、「デフォルト」、「ディスプレイ選択」について上述したと同様にして原画の表示を開始した後、ステップＳＰ２に戻る。
【００４１】
これに対してステップＳＰ４で否定結果が得られると、ステップＳＰ４からステップＳＰ６に移り、担当領域を拡大表示するように各部の動作を設定する。すなわちこの場合、制御部１５は、拡大範囲決定部２２に、配置情報用スイッチ２５で検出される配置位置に対応する領域を切り出して拡大表示するように、拡大範囲決定部２２、画像処理部２０の動作を制御した後、ステップＳＰ２に戻る。
【００４２】
（２）実施例の動作
以上の構成において、この画像表示装置１１は（図２）、同一構成による表示装置１２ＡＡ〜１２ＣＣが水平方向及び垂直方向に並べられて、これら表示装置１２ＡＡ〜１２ＣＣが密接して配置され、これら表示装置１２ＡＡ〜１２ＣＣに同一ソースによるビデオデータ及びオーディオデータが入力される。
【００４３】
各表示装置１２ＡＡ〜１２ＣＣでは（図４）、配置情報用スイッチ２５により配置位置の情報が設定され、この情報により、チューナ１４で取得されるビデオデータ、外部機器によるビデオデータがセレクタ１７により選択されて画像表示部２１により表示される。これら画像処理に係る一連の処理において、画像表示装置１１は、ユーザーによる指示に応動して、これら表示装置１２ＡＡ〜１２ＣＣの全てで同一コンテンツによるビデオデータがそれぞれ全画面表示され（図５）、また中央の表示装置１２ＢＢのみにより、所望するコンテンツのビデオデータが全画面表示され（図６）、またこれら表示装置１２ＡＡ〜１２ＣＣによるマルチ画面表示により１つのコンテンツに係るビデオデータが拡大表示され（図７）、これにより必要に応じて種々に表示形態を切り換えて、各種映像コンテンツを楽しむことができる。
【００４４】
画像表示装置１１では、このような表示装置１２ＡＡ〜１２ＣＣによるマルチ画面表示による拡大表示において、ユーザーにより「情報保存」のサブメニューが選択されている場合には、１台の表示装置で表示される画像と、隣接する表示装置で表示される画像とが、表示に供するビデオデータによるオリジナルの画像上で隙間無く連続するように表示され（図１３）、この場合は、オリジナルの画像による画像情報を漏れなくユーザーに提供することができる。これに対してユーザーにより「形状保存」のサブメニューが選択されている場合には、１台の表示装置で表示される画像と、隣接する表示装置で表示される画像とが、入力ビデオデータによる画像上で、隣接する表示装置における表示画面間の隙間の分だけ間を隔てて連続するように表示され（図１４）、これによりこの場合、各表示装置１２ＡＡ〜１２ＣＣの表示画面をオリジナルの画像上におけるレイアウトに対応するように表示して、歪みの無い状態でマルチ画面表示することができる。
【００４５】
これに対して「形状保存＋原画」等のサブメニューが選択されている場合、画像表示装置１１では、各表示装置１２ＡＡ〜１２ＣＣがそれぞれ表示を担当する領域により、これら複数台の表示装置１２ＡＡ〜１２ＣＣの１台で、表示に供するビデオデータによる全画面の画像が表示される。すなわち「形状保存＋原画」又は「情報保存＋原画」のサブメニューが選択されている場合、画像表示装置１１では、それぞれ「形状保存」、「情報保存」によるマルチ画面表示において、事前に設定された条件に該当する表示装置で、表示に供するビデオデータによる全画面の画像が表示される（図１）。また「形状保存＋微拡大」、「情報保存＋微拡大」のサブメニューが選択されている場合、画像表示装置１１では、「形状保存＋原画」又は「情報保存＋原画」において、オリジナルの画像表示が微小倍率だけ拡大表示される（図１０）。
【００４６】
これによりこれらの表示において、ユーザーは、オリジナルの画像表示により、全体画像を把握しながら、この画像の各部の拡大表示を確認することができ、これにより複数の表示装置によるマルチ画面表示の迫力、臨場感を維持しつつ、歪の発生、画像情報の欠落を防止することができる。すなわち「形状保存」により表示画面間の隙間により欠落する画像情報にあっても、このオリジナルの画像表示により把握することができ、これにより歪の発生を防止しつつ、画像情報の欠落を防止することができる。また「情報保存」により各表示装置による表示画面間で隙間がある場合でも、これら隙間により隔てられた各表示画面間の関係をオリジナルの画像表示により把握することができる。
【００４７】
しかしながらこのようにしてマルチ画面表示による表示装置の１つで、オリジナルの画像を全画面により表示する場合、このオリジナルの画像を全画面により表示した個所で、細部を詳細に把握することが困難になる。また場合によっては、画像の重要な個所に係る細部の表示が、オリジナルの画像により隠されてしまうことになる。
【００４８】
これによりこの画像表示装置１１では、ユーザーによりこのオリジナルの画像に係る表示位置が「デフォルト」、「ディスプレイ選択」に設定されている場合、このオリジナルの画像を表示する表示装置が、デフォルトの設定に係る特定個所、ユーザーの指示した特定個所に配置された表示装置に設定される。
【００４９】
これに対して「平坦部」等により設定されている場合には、表示に供する画像に応じて、ユーザーにより指示された特徴による画像を表示する表示装置が、このオリジナルの画像を表示する表示装置に設定される。これによりユーザーにおいては、必要に応じてこの表示位置の設定を切り換えることにより、表示に供する画像に応じて、オリジナルの画像を表示する表示装置を適応的に設定することができ、その分、画像の重要な個所に係る細部の表示が、オリジナルの画像により隠されてしまうような場合を有効に回避することができる。
【００５０】
すなわちユーザーにより「平坦部」のサブメニューが選択された場合には、画素値の変化が最も少ない部分を担当する表示装置でオリジナルの画像が全画面表示され、これにより細部が入り組んだ個所にあっては、このオリジナルの画像表示により隠さないようにして、マルチ画面表示により詳細に把握することができる。
【００５１】
またユーザーにより「微細部」のサブメニューが選択されている場合には、画素値の微細な変化が最も大きな部分を担当する表示装置でオリジナルの画像が全画面表示され、これにより例えば雄大な風景による画像を表示している場合に、この雄大な風景による雰囲気を損なわないようにマルチ画面表示することができる。
【００５２】
また「動き小部分」、「動き大部分」のサブメニューが選択されている場合には、それぞれ動きの最も小さい部分、動きの最も大きい部分については、オリジナルの画像表示により隠されないようにして、マルチ画面表示することができ、これによりスポーツ番組を表示している場合等に、重要な部分をオリジナルの画像表示により隠さないようにして、マルチ画面表示することができる。
【００５３】
（３）実施例の効果
以上の構成によれば、複数台の表示装置がそれぞれ表示を担当する領域により、これら複数台の表示装置の１台で、入力ビデオデータによる全画面の画像を表示することにより、複数の表示装置によるマルチ画面表示の迫力、臨場感を維持しつつ、歪の発生、画像情報の欠落を防止することができる。
【００５４】
またこの複数台の表示装置によるマルチ画面表示が、１台の表示装置で表示される画像と、隣接する表示装置で表示される画像とが、入力ビデオデータによる画像上で隙間無く連続する表示であることにより、表示画面間で隙間がある場合でも、これら隙間により隔てられた各表示画面間の関係をオリジナルの画像表示により把握することができ、これにより複数の表示装置によるマルチ画面表示の迫力、臨場感を維持しつつ、歪の発生、画像情報の欠落を防止することができる。
【００５５】
また複数台の表示装置によるマルチ画面表示が、１台の表示装置で表示される画像と、隣接する表示装置で表示される画像とが、入力ビデオデータによる画像上で、隣接する表示装置における表示画面間の隙間の分だけ間を隔てて連続する表示であることにより、表示画面間の隙間により欠落する画像情報にあっても、このオリジナルの画像表示により把握することができ、これにより複数の表示装置によるマルチ画面表示の迫力、臨場感を維持しつつ、歪の発生、画像情報の欠落を防止することができる。
【実施例２】
【００５６】
なお上述の実施例においては、各表示装置１２ＡＡ〜１２ＣＣでそれぞれ担当する領域のビデオデータを生成し、さらには表示装置１２ＡＡ〜１２ＣＣに設けられた制御部間のデータ通信により、種々に表示を切り換える場合について述べたが、本発明はこれに限らず、制御部間のデータ通信を省略して、各表示装置が独自に動作を切り換えて例えば全画面の画像を表示するようにしてよい。なおこの場合、各表示装置が異なるソースによる画像を選択しないように、上述したマルチ画面表示に供する画像をデジタルビデオ信号による画像に限定するようにしてもよく、この場合には復号部１６が例えばＭＰＥＧのエンコーダにより形成される。またこれに代えて上述のマルチ画面表示にかかる各種の制御、ビデオデータの処理等の機能を１台にまとめるようにしてもよい。なおこの場合、これらの表示装置の何れかにこれらの機能をまとめるようにしてもよく、これらの表示装置とは別体の装置にこれらの機能をまとめるようにしてもよい。
【００５７】
また上述の実施例においては、９台の表示装置によりマルチ画面表示する場合について述べたが、本発明はこれに限らず、種々の台数の表示装置によりマルチ画面表示する場合に広く適用することができる。
【産業上の利用可能性】
【００５８】
本発明は、複数の表示装置によるマルチ画面表示に適用することができる。
【図面の簡単な説明】
【００５９】
【図１】本発明の実施例に係るマルチ画面表示を示す平面図である。
【図２】本発明の実施例に係る画像表示装置を示す斜視図である。
【図３】図２の画像表示装置を構成する表示装置の説明に供する斜視図である。
【図４】図２の画像表示装置を構成する表示装置を示すブロック図である。
【図５】図２の画像表示装置における表示の１例を示す平面図である。
【図６】図２の画像表示装置における他の表示例を示す平面図である。
【図７】図２の画像表示装置におけるマルチ画面表示の表示例を示す平面図である。
【図８】表示モードのサブメニューを示す平面図である。
【図９】表示位置のサブメニューを示す平面図である。
【図１０】図２の画像表示装置におけるマルチ画面表示の他の表示例を示す平面図である。
【図１１】図４の表示装置における制御部の処理手順を示すフローチャートである。
【図１２】表示に供するビデオデータによる画像を示す平面図である。
【図１３】図１２の画像によるマルチ画面表示を示す平面図である。
【図１４】図１２の画像によるマルチ画面表示の他の例を示す平面図である。
【符号の説明】
【００６０】
１ＡＡ〜１ＣＣ、１２ＡＡ〜１２ＥＥ……表示装置、１５……制御部、２０……画像処理部、２０Ａ……拡大処理部、２１……画像表示部、２２……拡大範囲決定部
【図１】
2007093702.tif 000003
【図２】
2007093702.tif 000004
【図３】
2007093702.tif 000005
【図４】
2007093702.tif 000006
【図５】
2007093702.tif 000007
【図６】
2007093702.tif 000008
【図７】
2007093702.tif 000009
【図８】
2007093702.tif 000010
【図９】
2007093702.tif 000011
【図１０】
2007093702.tif 000012
【図１１】
2007093702.tif 000013
【図１２】
2007093702.tif 000014
【図１３】
2007093702.tif 000015
【図１４】
2007093702.tif 000016